(57)【要約】      （修正有）【課題】煙に含まれる油などの成分を分離して、効率よく排気きできるレンジフード装置を提供する。【解決手段】ガスコンロ台１１と、ウォーターカーテン出口１２１を具えるウォーターカーテン壁１２とを有し、かつ該ウォーターカーテン壁と該ガスコンロ台との間にはウォーターカーテン通路１３を形成してなる本体１０と、該本体に設け、かつ該ウォーターカーテン出口に連通する貯水槽２０と、該ウォーターカーテン壁に向って送風するように該本体に設ける送風手段３０と、該ガスコンロ台に設け、一方の側が該ウォーターカーテン通路に接続し、且つ内部に連結管４１１を介して該貯水槽に連通する濾過装置を具えた循環貯水槽４０と、該循環貯水槽の一方の側に設け、該循環貯水槽内の気体を吸入して屋外に放出する少なくとも１以上の吸排気装置５０と、を含んでなる。【選択図】図１
0003202928.tif 000002
【実用新案登録請求の範囲】
【請求項１】
ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通す貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環水槽の一方の側に設け、該循環貯水槽内の気体を吸入して屋外に放出する少なくとも１以上の吸排気装置と、を含んでなることを特徴とするレンジフード装置。
【請求項２】
前記ガスコンロ台の一方の側にストッパープレートを設け、かつ該ウォーターカーテン壁との間に該ウォーターカーテン通路を形成することを特徴とする請求項１に記載のレンジフード装置。
【請求項３】
前記ストッパープレートの一方の側に、上下に移動して吸入する風量を調整する風量調整ゲートを設けることを特徴とする請求項２に記載のレンジフード装置。
【請求項４】
前記循環貯水槽が給水装置と、フロートボール装置とを含み、該給水装置は外部の水供給元に接続して該循環貯水槽に供給する水量を制御し、該フロートボール装置は、該循環貯水槽に供給する水の水位が所定の水位に至るのを感知して該給水装置を制御し、給水を停止させることを特徴とする請求項１に記載のレンジフード装置。
【請求項５】
前記循環貯水装置にオーバーフロー排水装置を設け、該循環貯水槽内の水が所定の水位を超えた場合、適宜に排出できるようにするか、もしくは該循環貯水槽内の水を任意に放出できるようにすることを特徴とする請求項１に記載のレンジフード装置。
【請求項６】
前記濾過装置がフィルターネットと、水中ポンプとを含み、該フィルターネットは油が該水中ポンプに進入しないように濾過し、該水中ポンプが該貯水槽の水を吸入して該貯水槽に送ることを特徴とする請求項１に記載のレンジフード装置。
【請求項７】
前記連結管が給水バルブを含み、該循環貯水槽が該貯水槽に供給する水量を制御し、調整することを特徴とする請求項１に記載のレンジフード装置。
【請求項８】
前記排気装置が排気通路に接続し、該排気通路は一端が排気装置に接続し、該排気装置が該本体の上側に設けられることを特徴とする請求項１に記載のレンジフード装置。
【請求項９】
前記排気通路は、該循環貯水槽に連通する水ガイド管を設け、かつ該排気通路内には複数の水イド板を傾斜させて設けることを特徴とする請求項８に記載のレンジフード装置。
【請求項１０】
前記送風手段が、気体の吹き出し角度と方向を調整できる吹き出し口を具えることを特徴とする請求項１に記載のレンジフード装置。
【考案の詳細な説明】
【技術分野】
【０００１】
この考案はレンジフード装置に関し、特にウォーターカーテンの効果を具え、調理することによって発生する油を含んだ煙などの気体を集中して処理し、汚濁のない気体として排出するウォーターカーテン式のレンジフード装置に関する。
【背景技術】
【０００２】
食材を調理する場合、キッチンにおいて油を含む煙が容易に発生するという問題が存在する。このため家庭、または飲食店においてはレンジフード装置を設ける。通常レンジフード装置は上方から吸い込む方式を採用しており、フィルターとフィルターカップを具え、かつフィルターカップに電熱器を設けて吸い込む煙を濾過する。
【０００３】
但し、上述する構造は、煙に含まれる油がフィルター、またはフィルターカップの容器に付着し、レンジフィルターを洗浄する場合、不便になる。特に、飲食店においては、大型の換気扇を用い、発生する油汚れも相対的に増加し、吸い込み効果の低下が容易に発生する。また、粘着性の油汚れを落とす作業は時間と労力を要し、汚れを落としにくい。
【０００４】
また、目下のレンジフード装置は、調理によって発生した煙を直接吸い込み、屋外に直接放出し、レンジフード装置内に油を蓄積する構造である。然しながら、油がレンジフード装置及びダクト内に蓄積されるため、時間が経過すると吸気、排気効果が低下し、また予期せず着火する恐れもある。
【考案の概要】
【考案が解決しようとする課題】
【０００５】
この考案は、煙に含まれる油などの成分を分離して、効率よく排気きできるレンジフード装置を提供することを課題とする。
【課題を解決するための手段】
【０００６】
そこで、従来のレンジフード装置に見られる欠点に鑑み鋭意研究を重ねた結果、水を吹き付けてウォーターカーテンを形成し、該ウォーターカーテンによって煙を貯水槽に進入させて濾過するウォーターカーテン式のレンジフード装置によって課題を解決できる点に着眼し、係る知見に基づいて本考案を完成させた。
【０００７】
以下この考案について説明する。請求項１に記載するレンジフード装置は、ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通す貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環水槽の一方の側に設け、該循環貯水槽内の気体を吸入して屋外に放出する少なくとも１以上の吸排気装置と、を含んでなる。
【０００８】
請求項２に記載するレンジフード装置は、請求項１における  前記ガスコンロ台の一方の側にストッパープレートを設け、かつ該ウォーターカーテン壁との間に該ウォーターカーテン通路を形成する。
【０００９】
請求項３に記載するレンジフード装置は、請求項１におけるストッパープレートの一方の側に、上下に移動して吸入する風量を調整する風量調整ゲートを設けることを特徴とする請求項２に記載のレンジフード装置。
請求項４に記載するレンジフード装置は
前記循環貯水槽が給水装置と、フロートボール装置とを含み、該給水装置は外部の水供給元に接続して該循環貯水槽に供給する水量を制御し、該フロートボール装置は、該循環貯水槽に供給する水の水位が所定の水位に至るのを感知して該給水装置を制御し、給水を停止させる。
【００１０】
請求項５に記載するレンジフード装置は、請求項１における循環貯水装置にオーバーフロー排水装置を設け、該循環貯水槽内の水が所定の水位を超えた場合、適宜に排出できるようにするか、もしくは該循環貯水槽内の水を任意に放出できるようにする。
【００１１】
請求項６に記載するレンジフード装置は、請求項１における濾過装置がフィルターネットと、水中ポンプとを含み、該フィルターネットは油が該水中ポンプに進入しないように濾過し、該水中ポンプが該貯水槽の水を吸入して該貯水槽に送る。
【００１２】
請求項７に記載するレンジフード装置は、請求項１における連結管が給水バルブを含み、該循環貯水槽が該貯水槽に供給する水量を制御し、調整する。
【００１３】
請求項８に記載するレンジフード装置は、請求項１における排気装置が排気通路に接続し、該排気通路は一端が排気装置に接続し、該排気装置が該本体の上側に設けられる。
【００１４】
請求項９に記載するレンジフード装置は、請求項８における排気通路が、該循環貯水槽に連通する水ガイド管を設け、かつ該排気通路内には複数の水イド板を傾斜させて設ける。
【００１５】
請求項１０に記載するレンジフード装置は、請求項１における送風手段が、気体の吹き出し角度と方向を調整できる吹き出し口を具える。
【図面の簡単な説明】
【００１６】
【図１】この考案によるレンジフード装置の構造を示した説明図である。
【図２】正面から見たこの考案によるレンジフード装置の構造を示した説明図である。
【図３】側面ら見たこの考案によるレンジフード装置の構造と動作とを示した説明図である。
【図４ａ】この考案における送風手段の角度調整の動作を示した説明図である。
【図４ｂ】この考案における送風手段の角度調整の動作を示した他の説明図である。
【考案を実施するための形態】
【００１７】
この考案は、煙に含まれる油などの成分を分離して、効率よく排気きできるレンジフード装置を提供するものであって、ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通す貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環水槽の一方の側に設け、該循環貯水槽内の気体を吸入して屋外に放出する少なくとも１以上の吸排気装置と、を含んでなる。係るレンジフード装置の特徴と構造を説明するために、具体的な実施例を挙げ、図面を参照にして如何に説明する。
【実施例】
【００１８】
図１、２、３に開示するように、この考案の装置は、本体１０と、貯水槽２０と、送風手段３０と、循環貯水槽４０と、２つの吸排気装置５０とを含んでなる。
【００１９】
本体１０はガスコンロを支持するガスコンロ台１１を具え、かつウォーターカーテン出口１２１を具えるウォーターカーテン壁１２を有する。ウォーターカーテン壁１２とガスコンロ台１１との間にはウォーターカーテン通路１３を形成する。
【００２０】
貯水槽２０は本体１０のウォーターカーテン出口１２１の後方に設け、ウォーターカーテン出口１２１に堅牢に接合し、連通させる。
【００２１】
送風手段３０は、吹き出し口３１を具え、吹き出し口３１がウォーターカーテン壁１２に向かうように本体１０の上前方に設ける。吹き出し口３１は吹き出し角度を調整する可動部３１１を具え、ガスコンロを使用して調理する場合に発生する煙を最も好ましい角度でウォーターカーテン壁１２に吹き付けられるようにする。
【００２２】
循環貯水槽４０はガスコンロ台１１の下方に設け、貯水に用いる。循環貯水槽４０は一方の側がウォーターカーテン通路１３に接続し、集水ルートを形成し、油の混入した煙を流し、かつ水を循環貯水槽４０に注入する。
【００２３】
ウォーターカーテン通路１３には、多重層構造を具え、自在に取り外して洗浄できるフィルターグリッド４１２ａを設ける。このため、吸入した気体には油による汚れが存在しないようになる。
【００２４】
循環貯水槽４０内には濾過装置４１を設ける。濾過装置４０は連結管４１１を介して貯水槽２０と接続し、循環貯水槽４０からを貯水槽２０に送りウォーターカーテンを形成するために供する水を濾過する。
【００２５】
吸排気装置５０は、循環貯水槽４０一方の側の上に設け、調理によって発生し、ウォーターカーテンによって洗い流された油の汚れを含む煙状の気体を吸入する。
【００２６】
実施例において、ガスコンロ台１１の一方の側にはストッパープレート１４を設け、ストッパープレート１４とウォーターカーテン壁１２との間にウォーターカーテン通路１３を形成する。
【００２７】
ストッパープレート１４の下には、風量調整ゲート１４１を設ける。風量調整ゲート１４１は上下に移動して空気吸排気装置５０の吸入する風量を調整する。
【００２８】
実施例において、循環貯水槽４０は、給水装置４２と、フロートボール装置４３とを含む。給水装置４２は外部の水供給元に接続して循環貯水槽４０に供給する水量を制御し、フロートボール装置４３は、循環貯水槽４０に供給する水の水位が所定の水位に至るのを感知して給水装置を制御し、給水を停止させる。
【００２９】
また、循環貯水装置４０は、さらにオーバーフロー排水装置４４を設け、循環貯水槽４０内の水が所定の水位を超えた場合、適宜に排出できるようにするか、もしくは循環貯水槽４０内の水を任意に放出できるようにする。
【００３０】
濾過装置４１は、フィルターネット４１２と、水中ポンプ４１３とを含み、フィルターネット４１２は油が水中ポンプ４１３に進入しないように濾過し、水中ポンプ４１３は貯水槽４０のクリーンな水を吸入して貯水槽２０に送る。
【００３１】
連結管４１１は給水バルブ４１４を含み、循環貯水槽４０が貯水槽２０に供給する水量を制御し、調整する。
【００３２】
実施例において、吸排気装置５０は排気通路６０に接続する。排気通路６０は一端が排気装置７０に接続し、排気装置７０は本体１０の上側に位置して循環貯水槽４０内のクリーンな気体を屋外に排出する。
【００３３】
排気通路６０は、下側に水ガイド管６１を設けて循環貯水槽４０に連通させる。また、排気通路６０内には複数の水イド板６２を傾斜させて設ける。水ガイド板６３は、附着し凝結した水滴を下端に集め、水ガイド管６１によって循環貯水槽に４０に流入させる。
【００３４】
図２、３に、上述する各部材の構成、組立て開示する。この考案による装置の特徴、効果は次のとおりである。
【００３５】
この考案における水中ポンプ４１３は循環貯水槽４０内の濾過されたクリーンな水を吸入して貯水槽２０に送る、貯水槽２０の水はウォーターカーテン出口１２から流れ出し、ウォーターカーテン壁１２に沿って下方に至りウォーターカーテンを形成する。
【００３６】
送風手段３０は吹き出し３１から空気を吹き出し、調理によって発生した油を含む煙の気流を効率よくウォーターカーテン壁１２のウォーターカーテンに向かわせる。よって、油を含む煙はウォーターカーテンによって洗い流され、油を含む水はウォーターカーテン通路１３を経て、多重層構造の濾過ネット４１２ａによって濾過され循環貯水槽４０に流れる。また、煙などの気体は吸排気装置５０によって吸入されて循環貯水槽４０に入り、排気通路６０、排気装置７０を経て屋外に放出される。したがって、この考案による装置は、ウォーターカーテンを利用して煙に含まれる油を水も付着させ、油を含まない気体を効率よく放出するため、好ましい油汚れ排出効果を具える。
【００３７】
また、水中ポンプ４１３が継続して循環貯水槽４０内の水を吸入して循環水流を形成する。同時にフィルターネット４１２によって濾過し、水中ポンプ４１３に油が進入しないようにする。濾過装置４１による濾過、吸入作用によってクリーンな水流が循環するため、環境保全の作用が得られる。
【００３８】
煙などの気体が排気通路６０を通過する場合、水ガイド板６２によって凝結した水滴を集め、下端の集水部に滴下させ、水ガイド管６１によってガイドして循環貯水槽４０に戻す。
【００３９】
図４ａ、図４ｂに開示するように、実施例において送風手段３０は、可動部３１１によって吹き出し口３１から吹き出す角度、方向を調整することができる。
【符号の説明】
【００４０】
１０本体
１１ガスコンロ台
１２ウォーターカーテン壁
１２１ウォーターカーテン出口
１３ウォーターカーテン通路
１４ストッパープレート
１４１風量調整ゲート
２０貯水槽
３０送風手段
３１吹き出し口
３１１可動部
４０循環貯水槽
４１濾過装置
４１１連結管
４１２フィルターネット
４１２ａフィルターグリッド
４１３水中ポンプ
４１４給水バルブ
４２給水装置
４３フロートボール装置
５０吸排気装置
６０排気通路
６１水ガイド管
６２水ガイド板
７０排気装置
【図１】
0003202928.tif 000003
【図２】
0003202928.tif 000004
【図３】
0003202928.tif 000005
【図４ａ】
0003202928.tif 000006
【図４ｂ】
0003202928.tif 000007
【手続補正書】
【提出日】平成27年12月21日(2015.12.21)
【手続補正１】
【補正対象書類名】実用新案登録請求の範囲
【補正対象項目名】請求項１
【補正方法】変更
【補正の内容】
【請求項１】
ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通する貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環貯水槽の一方の側に設け、該循環貯水槽内の気体を吸入して屋外に放出する少なくとも１以上の吸排気装置と、を含んでなることを特徴とするレンジフード装置。
【手続補正２】
【補正対象書類名】実用新案登録請求の範囲
【補正対象項目名】請求項５
【補正方法】変更
【補正の内容】
【請求項５】
前記循環貯水槽にオーバーフロー排水装置を設け、該循環貯水槽内の水が所定の水位を超えた場合、適宜に排出できるようにするか、もしくは該循環貯水槽内の水を任意に放出できるようにすることを特徴とする請求項１に記載のレンジフード装置。
【手続補正３】
【補正対象書類名】実用新案登録請求の範囲
【補正対象項目名】請求項８
【補正方法】変更
【補正の内容】
【請求項８】
前記吸排気装置が排気通路に接続し、該排気通路は一端が排気装置に接続し、該排気装置が該本体の上側に設けられることを特徴とする請求項１に記載のレンジフード装置。
【手続補正４】
【補正対象書類名】明細書
【補正対象項目名】０００７
【補正方法】変更
【補正の内容】
【０００７】
以下この考案について説明する。請求項１に記載するレンジフード装置は、ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通する貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環貯水槽の一方の側に設け、該循環貯水槽内の気体を吸入して屋外に放出する少なくとも１以上の吸排気装置と、を含んでなる。
【手続補正５】
【補正対象書類名】明細書
【補正対象項目名】００１０
【補正方法】変更
【補正の内容】
【００１０】
請求項５に記載するレンジフード装置は、請求項１における循環貯水槽にオーバーフロー排水装置を設け、該循環貯水槽内の水が所定の水位を超えた場合、適宜に排出できるようにするか、もしくは該循環貯水槽内の水を任意に放出できるようにする。
【手続補正６】
【補正対象書類名】明細書
【補正対象項目名】００１３
【補正方法】変更
【補正の内容】
【００１３】
請求項８に記載するレンジフード装置は、請求項１における吸排気装置が排気通路に接続し、該排気通路は一端が排気装置に接続し、該排気装置が該本体の上側に設けられる。
【手続補正７】
【補正対象書類名】明細書
【補正対象項目名】００１７
【補正方法】変更
【補正の内容】
【００１７】
この考案は、煙に含まれる油などの成分を分離して、効率よく排気きできるレンジフード装置を提供するものであって、ガスコンロ台と、ウォーターカーテン出口を具えるウォーターカーテン壁とを有し、かつ該ウォーターカーテン壁と該ガスコンロ台との間にはウォーターカーテン通路を形成してなる本体と、
該本体に設け、かつ該ウォーターカーテン出口に連通する貯水槽と、
該ウォーターカーテン壁に向って送風するように該本体に設ける送風手段と、
該ガスコンロ台に設け、一方の側が該ウォーターカーテン通路に接続し、且つ内部に連結管を介して該貯水槽に連通する濾過装置を具えた循環貯水槽と、
該循環貯水槽の一方の側に設け、該循環貯水槽内の気体を吸入して屋外に放出する少なくとも１以上の吸排気装置と、を含んでなる。係るレンジフード装置の特徴と構造を説明するために、具体的な実施例を挙げ、図面を参照にして以下に説明する。
【手続補正８】
【補正対象書類名】図面
【補正対象項目名】全図
【補正方法】変更
【補正の内容】
【図１】
0003202928.tif 000008
【図２】
0003202928.tif 000009
【図３】
0003202928.tif 000010
【図４ａ】
0003202928.tif 000011
【図４ｂ】
0003202928.tif 000012